(57)【要約】      （修正有）【課題】電子ドラムを伝統的なドラム上に掛止するだけで練習することができ、また、伝統的なドラムで使用したい時は、そのまま電子ドラムを取り外しせば、演奏することができ、使用上、便利性が高い電子ドラムを提供する。【解決手段】感知パッド１０及びフレーム２０を有し、その内、感知パッドは、外部のオーディオ装置と接続される接続装置１１と、内部に設置され、該接続装置と電気接続することにより、音信号を出力して該接続装置へ送信するセンサ１２と、該センサに張設されるドラムヘッド１３を備え、、前記フレーム２０は、前記感知パッド１０に環装されると共に、フープ２１と、該フープから下側及び外側に延設されるリブを備えて電子ドラムを構成する。【選択図】図３
0003177438.tif 000002
【実用新案登録請求の範囲】
【請求項１】
感知パッド及びフレームを有し、
その内、感知パッドは、外部のオーディオ装置と接続される接続装置と、内部に設置され、該接続装置と電気接続されることことにより、音信号を出力して該接続装置へ送信するセンサと、該センサに張設されるドラムヘッドを備え、前記フレームは、前記感知パッドに環装されると共に、フープと、該フープから下側及び外側に延設されるリブを備えることを特徴とする掛止式電子ドラム。
【請求項２】
前記フープの上面をカバーするようにカバーリングが取り付けられることを特徴とする請求項１に記載の掛止式電子ドラム。
【請求項３】
前記カバーリングの下側に、前記フープから外側に延設されるリブの外縁部と対応する環状凸縁が延設されることを特徴とする請求項２に記載の掛止式電子ドラム。
【請求項４】
前記フープにおける内周面に間隔をおいて、前記感知パッドの外周縁に連接するように、複数の連結プレートが設けられることを特徴とする請求項１乃至３の何れか１項に記載の掛止式電子ドラム。
【請求項５】
前記フレームのフープの内周面に、記感知パッドの外周縁と連結する環状プレートが設けられ、
前記環状プレートに複数の通気孔が形成されることを特徴とする請求項１乃至３の何れか１項に記載の掛止式電子ドラム。
【請求項６】
前記センサは、金属プレートと、該金属プレートの底面に、前記接続装置と電気接続すると共に、該金属プレートの振動を検知して音信号を出力する感知チップが設けられることを特徴とする請求項１乃至３の何れか１項に記載の掛止式電子ドラム。
【請求項７】
前記センサは、金属プレートと、該金属プレートの底面に、前記接続装置と電気接続すると共に、該金属プレートの振動を検知して音信号を出力する感知チップが設けられることを特徴とする請求項４に記載の掛止式電子ドラム。
【請求項８】
前記センサは、金属プレートと、該金属プレートの底面に、前記接続装置と電気接続すると共に、該金属プレートの振動を検知して音信号を出力する感知チップが設けられることを特徴とする請求項５に記載の掛止式電子ドラム。
【考案の詳細な説明】
【技術分野】
【０００１】
本考案は、通常のドラムに素早く且つ簡単に装着できる掛止式電子ドラムに関するものである。
【背景技術】
【０００２】
ドラムは、とても人気のある楽器の一つであり、ポピュラー音楽や、ジャズ、ヘヴィメタルなどの音楽に使用され、場合によっては交響曲を演奏する時にもドラムを用いることがあるので、ドラムを学ぶ人が益々増えている。
【０００３】
既存のドラムには、伝統的なドラム及び電子ドラムの２種類を有し、図８に示す伝統的なドラムは、筒状のシェル８０と、該シェル８０の上部開口及び下部開口にそれぞれ張設されるヘッド８１と、該シェル８０の上部及び下部に取り付けられる、該ヘッド８１を固定するためのフープ８２とを備えるものであり、ドラムを使用する時は、演奏者がヘッド８１を叩いてシェル８０内で空気を振動させて音を発生させる。
【０００４】
一方、図９に示すものは、既存の電子ドラムであり、パッド９０と、該パッド９０の内部に設置されるセンサ９１と、該センサ９１上に張設される弾性ヘッド９２とを備え、該弾性ヘッド９２は、一般にゴムなどの弾性を有する材質からなるものである。また、既存の電子ドラムの一般的なドラムと異なるところは、空気の振動による共鳴で音を発生するのではなく、スティックで弾性ヘッド９２を叩き、センサ９１がその振動の信号を感知して電子的に音に変換し、ヘッドホンやスピーカーに伝える仕組みであり、この構成によれば、音量を調整することができる。
【０００５】
既存の、伝統的なドラムや電子ドラムにはそれぞれ利点や欠点を有する。例えば、伝統的なドラムは、強くて太く、豊かな音色を出すことができるが、練習する時の音がうるさく、騒音の問題を有する。一方、既存の電子ドラムは、音量を調節することができるので、騒音の問題はないが、伝統的なドラムのような、強くて太い音を出すことができない。故に、ドラムの練習する時には電子ドラムを使い、演奏する時には伝統的なドラムを使うしかない。
【先行技術文献】
【特許文献】
【０００６】
【特許文献１】特開２０１１−１５４３９３号公報
【考案の概要】
【考案が解決しようとする課題】
【０００７】
故に、既存のドラムを練習する時には先ず、各種ドラムを１つずつフレームに装着して、ドラムセットを作ってから練習するが、ドラムセットは、広い設置場所が必要であるので、通常は同時に伝統的なドラム及び電子ドラムの２つのドラムセットを用いることはなく、使用に応じて、伝統的なドラムと電子ドラムとを交換しする必要があるので、使用上、非常に不便であり、交換にも無駄な時間がかかっていた。
【課題を解決するための手段】
【０００８】
本考案に係る掛合式電子ドラムは、感知パッド及びフレームを有し、その内、感知パッドは、外部のオーディオ装置と接続される接続装置と、内部に設置され、該接続装置と電気接続されることことにより、音信号を出力して該接続装置へ送信するセンサと、該センサに張設されるドラムヘッドを備え、
前記フレームは、前記感知パッドに環装されると共に、フープと、該フープから下側及び外側に延設されるリブを備えるものである。
【０００９】
前記フープの上面をカバーするようにカバーリングが取り付けられることが好ましい。
【００１０】
前記カバーリングの下側に、前記フープから外側に延設されるリブの外縁部と対応する環状凸縁が延設されることが好ましい。
【００１１】
前記フープにおける内周面に間隔をおいて、前記感知パッドの外周縁に連接するように、複数の連結プレートが設けられてもよい。
【００１２】
前記フレームのフープの内周面に、記感知パッドの外周縁と連結する環状プレートが設けられ、
前記環状プレートに複数の通気孔が形成されてもよい。
【００１３】
前記センサは、金属プレートと、該金属プレートの底面に、前記接続装置と電気接続すると共に、該金属プレートの振動を検知して音信号を出力する感知チップが設けられることが好ましい。
【考案の効果】
【００１４】
本考案に係る掛止式電子ドラムは上記の如く、フープから外側に延出するリブが伝統的なドラムのフープの上側縁部に当接すると共に、該フープから下側に延出するリブが伝統的なドラムの枠の内側縁部に当接することから、電子ドラムを伝統的なドラム上に掛止すれば、電子ドラムを練習することができる。一方、伝統的なドラムを演奏する時は、電子ドラムを伝統的なドラムから取り外して簡単に交換することができる。
【図面の簡単な説明】
【００１５】
【図１】本考案に係る掛止式電子ドラムの上面視斜視図である。
【図２】本考案に係る掛止式電子ドラムの下面視斜視図である。
【図３】本考案に係る掛止式電子ドラムの部分分解斜視図である。
【図４】本考案に係る掛止式電子ドラムの他の実施例の上面視斜視図である。
【図５】本考案に係る掛止式電子ドラムの部分拡大断面図である。
【図６】本考案に係る掛止式電子ドラムの他の部分拡大断面図である。
【図７】本考案に係る掛止式電子ドラムを伝統的なドラムに掛止させた状態を示す側面視部分断面図である。
【図８】伝統的なドラムの斜視図である。
【図９】既存の電子ドラムの斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１乃至図３に示すように、本考案に係る掛止式電子ドラムは、感知パッド１０及びフレーム２０を有し、その内、感知パッド１０は、外部のオーディオ装置と接続される接続装置１１と、内部に設置され、該接続装置１１と電気接続されるセンサ１２と、該センサ１２に張設されるドラムヘッド１３を備え、この構成により、該ドラムヘッド１３を叩いた時の音信号を接続装置１１へ送信する。尚、本実施例において、センサ１２は、金属プレート１２１と、該金属プレート１２１の底面に設置され、該接続装置１１と電気接続することにより、該金属プレート１２１の振動を検知して音信号を出力する感知チップ１２２を備える。
【００１８】
前記フレーム２０は、前記感知パッド１０に環装されると共に、フープ２１と、該フープ２１から下側及び外側に延設されるリブ２２を備える。尚、本実施例においては、フープ２１の内周面に間隔をおいて、前記感知パッド１０の外周縁に連接するように、取り付けられる複数の連結プレート２３が設けられると共に、該フープ２１と感知パッド１０との間に複数の間隙部２４が形成されてもよく、また、図４に示す他の実施例のように、該フレーム２０のフープ２１の内周面に、該感知パッド１０の外周縁に連接される環状プレート２３’が設けられると共に、該環状プレート２３’に複数の通気孔２４’が形成されてもよい。
【００１９】
さらに、図５に示すように、前記フープ２１の上面をカバーするようにカバーリング２５が取り付けられ、図６に示すように、該カバーリング２５の下側に、該フープ２１から外側に延設されるリブ２２の外縁部と対応する環状凸縁２５１が延設される。
【００２０】
図７に示すように、本考案に係る電子ドラムを設置する時は、フレーム２０のフープ２１をシェル８０のフープ８２に掛止すると共に、該フープ２１から外側に延設されたリブ２２をフープ８２の上側縁部に当接し、該フープ２１から下側に延設されたリブ２２をフープ８２の内側縁部に当接することにより、感知パッド１０をシェル８０のヘッド８１の上方に設置する。
【００２１】
本考案に係る電子ドラムを演奏する時は、スティックで感知パッド１０のドラムヘッド１３を叩き、センサ１２の感知チップ１２２により金属プレート１２１の振動を感知して音信号を接続装置１１へ送信し、該接続装置１１により外部のオーディオ装置と接続しているスピーカーやヘッドホンなどに音を出力する。このような電子ドラムを用いれば、ドラムを練習する時に、音量を調節することができることから、騒音防止に繋がるので、何時でも何処でも練習ですることができ、また、フープ２１の下側に延設されたリブ２２がシェル８０のフープ８２の内側縁部に当接していることから、電子ドラムを叩いた時に感知パッド１０がずれることはない。
【００２２】
また、前記シェル８０におけるフープ８２に環状凸縁８２１が凸設されることから、電子ドラムをシェル８０に設置する時、その環状凸縁８２１を介して、電子ドラムをヘッド８１から離間するように設置できるので、電子ドラムを叩いてもシェル８０のヘッド８１が振動せず音は出ない。さらに、図１及び図２に示す実施例においては、感知パッド１０とフープ２１との間における、複数の連結プレート２３との間に複数の間隙部２４が形成されることから、感知パッド１０とシェル８０のヘッド８１との間に密閉スペースは有しなく、感知パッド１０を叩いても、その密閉スペース内の空気を振動させることはないので、不必要な音は出ない。
【００２３】
一方、図４に示す実施例においては、環状プレート２３’におけるフープ２１と感知パッド１０との接触部分が多いことから、図１の連結プレート２３よりもフープ２１及び感知パッド１０を強固に固定することができ、また、該環状プレート２３’に通気孔２４’が形成されることから、感知パッド１０とドラム８０のヘッド８１との間に密閉スペースは有しなく、感知パッド１０を叩いても、その密閉スペース内の空気を振動させることはないので、不必要な音は出ない。
【００２４】
一方、前記リブ２２がフープ２１から外側へ延設されることから、シェル８０のフープ８２のサイズが異なっても、電子ドラムをシェル８０に設置することができると共に、ドラム８０のフープ８２の環状凸縁８２１を当接させる環状凸縁２５１がカバーリング２５の下面から下側へ延設されることから、環状凸縁８２１を、環状凸縁２５１とフープ２１の下側のリブ２２との間に位置させて、電子ドラムをずれないように固定し、位置決めすることができる。
【００２５】
上述したように、本考案に係る電子ドラムは、フープ２１を介して直接に伝統的なドラムのシェル８０に設置できることから、単に電子ドラムをシェル８０に掛止するだけで練習を行うことができ、また、シェル８０で演奏したい時は、単にそのまま電子ドラムをシェル８０から取り外せば、伝統的なドラムを演奏することができるので、利便性が高く実用性に優れている。
【産業上の利用可能性】
【００２６】
本考案に係る掛止式電子ドラムは上記の構成を有することから、フレームのフープから外側に延設されたリブが伝統的なドラムのフープの上側縁部に当接すると共に、フレームのフープから下側に延設されたリブが伝統的なドラムのフープの内側縁部に当接することにより、電子ドラムを伝統的なドラム上に掛止するだけで練習することができ、また、伝統的なドラムを使用したい時は、そのまま電子ドラムを取り外せば演奏することができる。故に、この構成によれば、２種類のドラムを瞬時に交換することができる。
【符号の説明】
【００２７】
１０ 感知パッド
１１ 接続装置
１２ センサ
１３ ドラムヘッド
１２１ 金属プレート
１２２ 感知チップ
２０ フレーム
２１ フープ
２２ リブ
２３ 連結プレート
２３’ 環状プレート
２４ 間隙部
２４’ 通気孔
２５ カバーリング
２５１ 環状凸縁
８０ シェル
８１ ヘッド
８２ フープ
９１ センサ
９２ 弾性ヘッド
【図１】
0003177438.tif 000003
【図２】
0003177438.tif 000004
【図３】
0003177438.tif 000005
【図４】
0003177438.tif 000006
【図５】
0003177438.tif 000007
【図６】
0003177438.tif 000008
【図７】
0003177438.tif 000009
【図８】
0003177438.tif 000010
【図９】
0003177438.tif 000011